【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
ポリエーテル、ポリエーテルアミンおよびそれらの混合物からなる群から選択される、少なくとも３ｗｔ％のポリエーテル成分；
少なくとも５ｗｔ％の極性溶媒；
少なくとも５ｗｔ％の非極性溶媒；ならびに
アルコキシアルコールを含む機能性溶媒
を含む清浄化組成物。
【請求項２】
前記ポリエーテル成分がポリ（アルキレンオキシド）アミンを含む、請求項１に記載の組成物。
【請求項３】
前記ポリエーテルまたはポリエーテルアミンが、式Ｒ［ＯＣＨ２ＣＨ（Ｒ１）］ｎＡで表され、式中、Ｒはドロカルビル基であり、Ｒ１は水素およびヒドロカルビル基から選択され、Ａは窒素含有基またはヒドロキシル基であり、ｎは少なくとも１０である数である、請求項１〜２のいずれか一項に記載の組成物。
【請求項４】
Ａがアミン、エーテルアミンおよびそれらの混合物から選択される、請求項３に記載の組成物。
【請求項５】
Ａが−ＯＣＨ２ＣＨ２ＣＨ２ＮＲ２Ｒ２および−ＮＲ３Ｒ３から選択され、式中、各Ｒ２は独立に、水素、または炭素原子が１個もしくは複数個のヒドロカルビル基であり、各Ｒ３は独立に、水素、炭素原子が１個もしくは複数個のヒドロカルビル基、または−［Ｒ４（Ｒ５）］ｐＲ６（式中、Ｒ４はＣ２〜Ｃ１０アルキレンであり、Ｒ５およびＲ６は独立に、水素、または炭素原子が１個もしくは複数個のヒドロカルビル基であり、ｐは１〜７の数である）である、請求項４に記載の組成物。
【請求項６】
前記組成物における前記極性溶媒と前記非極性溶媒の重量比が、少なくとも１：５、または少なくとも１：４、または少なくとも１：３、または少なくとも１：２、あるいは最大で５：１、または最大で４：１、または最大で３：１、または最大で２：１である、請求項１〜５のいずれか一項に記載の組成物。
【請求項７】
前記極性溶媒が、分枝状および非分枝状Ｃ１〜Ｃ１２脂肪族アルコール、Ｃ１〜Ｃ１２脂肪族アミン、エーテル、およびそれらの混合物から選択される脂肪族プロトン性極性溶媒を含む、請求項１〜６のいずれか一項に記載の組成物。
【請求項８】
前記極性溶媒が、エーテルおよびアミンから選択される芳香族極性溶媒を含む、請求項１〜７のいずれか一項に記載の組成物。
【請求項９】
前記非極性溶媒が芳香族非極性溶媒を含む、請求項１〜８のいずれか一項に記載の組成物。
【請求項１０】
前記非極性溶媒が、最大で２ＭＰａ１／２のハンセン溶解パラメーターを有する、請求項１〜９のいずれか一項に記載の組成物。
【請求項１１】
前記極性溶媒が、少なくとも２．８ＭＰａ１／２のハンセン溶解パラメーターを有する、請求項１〜１０のいずれか一項に記載の組成物。
【請求項１２】
前記アルコキシアルコールが前記組成物中に少なくとも１０ｗｔ％の濃度で存在する、請求項１〜１１のいずれか一項に記載の組成物。
【請求項１３】
前記機能性溶媒が、前記組成物の少なくとも１ｗｔ％である、請求項１〜１２のいずれか一項に記載の組成物。
【請求項１４】
少なくとも０．５ｗｔ％の水をさらに含む、請求項１〜１３のいずれか一項に記載の組成物。
【請求項１５】
内燃エンジン中の空気取り入れ弁堆積物、燃料噴射器堆積物および燃焼室堆積物のうちの少なくとも１つを除去する方法であって、請求項１〜１４のいずれか一項に記載の組成物で前記エンジンを動作させる工程を包含する、方法。
【請求項１６】
燃料送出システムおよび空気取り入れシステムのうちの少なくとも１つを清浄化するための、請求項１〜１４のいずれか一項に記載の組成物の使用。
【手続補正２】
【補正対象書類名】明細書
【補正対象項目名】０００３
【補正方法】変更
【補正の内容】
【０００３】
堆積物は、燃料送出システム、すなわち燃料タンクの下流に直接添加される燃料システムクリーナー溶液で除去することもできる。この方法では、所定用量の清浄化溶液が、キャニスターから送出される。キャニスターは、燃料レールに取り付けられており、エンジンへの通常の燃料供給に取って代わり、空気で圧縮され、車両がアイドリングしている間に、溶液が燃料レールを通ってエンジンへ進むことができるようになっている。この過程は完了するのに約１時間かかる。米国特許出願公開第２００２０１０７１６１号、同第２００５０２２９９５２号、同第２００６０１２８５８９号、および同第２００８００１１３２７号、ならびに米国特許第５，１６１，３３６号、同第５，２５７，６０４号、同第６，０００，４１３号、同第６，６５５，３９２号、同第６，８３０，６３０号、同第６，９７８，７５３号および同第８，９２６，７６３号は、直接送出方法による、空気取り入れ弁および燃焼室清浄化のための組成物およびシステムを記載している。
【手続補正３】
【補正対象書類名】明細書
【補正対象項目名】０１００
【補正方法】変更
【補正の内容】
【０１００】
本明細書で使用し得る例示的な送出システムは、例えば、米国特許出願公開第２００２０１０７１６１号、同第２００５０２２９９５２号、同第２００６０１２８５８９号、および同第２００８００１１３２７号、ならびに米国特許第５，１６１，３３６号、同第５，２５７，６０４号、同第６，０００，４１３号、同第６，６５５，３９２号、同第６，８３０，６３０号、同第６，９７８，７５３号および同第８，９２６，７６３号に記載されている。
【手続補正４】
【補正対象書類名】明細書
【補正対象項目名】０１３９
【補正方法】変更
【補正の内容】
【０１３９】
上記に開示されたおよび他の特徴および機能の変形体またはその代替物を組み合わせて、多くの他の異なるシステムまたはアプリケーションにすることができることを理解されよう。現在は予見も予期もされていない様々な代替、改変、変更または改善を、当業者が後に施すことができ、これらもやはり、以下の特許請求の範囲によって包含されるものとする。
一実施形態において、例えば、以下の項目が提供される。
（項目１）
ポリエーテル、ポリエーテルアミンおよびそれらの混合物からなる群から選択される、少なくとも３ｗｔ％のポリエーテル成分；
少なくとも５ｗｔ％の極性溶媒；ならびに
少なくとも５ｗｔ％の非極性溶媒
を含む清浄化組成物。
（項目２）
前記ポリエーテル成分がポリ（アルキレンオキシド）アミンを含む、項目１に記載の組成物。
（項目３）
前記アルキレンオキシドが、ブチレンオキシドおよびプロピレンオキシドのうちの少なくとも１つを含む、項目２に記載の組成物。
（項目４）
前記ポリエーテルまたはポリエーテルアミンが、式Ｒ［ＯＣＨ２ＣＨ（Ｒ１）］ｎＡで表され、式中、Ｒはドロカルビル基であり、Ｒ１は水素およびヒドロカルビル基から選択され、Ａは窒素含有基またはヒドロキシル基であり、ｎは少なくとも２である数である、項目１〜３のいずれか一項に記載の組成物。
（項目５）
Ｒは、炭素原子が１〜３０個のヒドロカルビル基である、項目４に記載の組成物。
（項目６）
Ｒ１は、炭素原子が１〜１６個のヒドロカルビル基である、項目４または５に記載の組成物。
（項目７）
Ｒ１がアルキル基である、項目４〜６のいずれか一項に記載の組成物。
（項目８）
ｎが、少なくとも１０、または少なくとも１６、または少なくとも１８、あるいは最大で５０、または最大で３８、または最大で２８、または最大で２６、または最大で２４である、項目４〜７のいずれか一項に記載の組成物。
（項目９）
Ａがアミン、エーテルアミンおよびそれらの混合物から選択される、項目４〜８のいずれか一項に記載の組成物。
（項目１０）
Ａが−ＯＣＨ２ＣＨ２ＣＨ２ＮＲ２Ｒ２および−ＮＲ３Ｒ３から選択され、式中、各Ｒ２は独立に、水素、または炭素原子が１個もしくは複数個のヒドロカルビル基であり、各Ｒ３は独立に、水素、炭素原子が１個もしくは複数個のヒドロカルビル基、または−［Ｒ４（Ｒ５）］ｐＲ６（式中、Ｒ４はＣ２〜Ｃ１０アルキレンであり、Ｒ５およびＲ６は独立に、水素、または炭素原子が１個もしくは複数個のヒドロカルビル基であり、ｐは１〜７の数である）である、項目９に記載の組成物。
（項目１１）
ＡがＯＨである、項目４〜８のいずれか一項に記載の組成物。
（項目１２）
前記ポリエーテル成分が、前記組成物の少なくとも４ｗｔ％、または少なくとも５ｗｔ％、または少なくとも６ｗｔ％、または少なくとも８ｗｔ％、または少なくとも１０ｗｔ％、または少なくとも１１ｗｔ％、または少なくとも１５ｗｔ％、あるいは最大で４０ｗｔ％、または最大で２７ｗｔ％、または最大で２５ｗｔ％、または最大で２３ｗｔ％、または最大で２１ｗｔ％である、項目１〜１１のいずれか一項に記載の組成物。
（項目１３）
前記ポリエーテル成分の少なくとも２０ｗｔ％、または少なくとも５０ｗｔ％、または少なくとも９０ｗｔ％がポリエーテルアミンである、項目１〜１２のいずれか一項に記載の組成物。
（項目１４）
前記極性溶媒および非極性溶媒が、合わせて、前記組成物の少なくとも３０ｗｔ％、または少なくとも３５ｗｔ％、または少なくとも４０ｗｔ％、または少なくとも４５ｗｔ％、あるいは最大で９０ｗｔ％、または最大で８０ｗｔ％、または最大で７５ｗｔ％、または最大で７０ｗｔ％、または最大で６０ｗｔ％、または最大で５５ｗｔ％、または最大で５０ｗｔ％である、項目１〜１３のいずれか一項に記載の組成物。
（項目１５）
前記組成物における前記極性溶媒と前記非極性溶媒の重量比が、少なくとも１：５、または少なくとも１：４、または少なくとも１：３、または少なくとも１：２、あるいは最大で５：１、または最大で４：１、または最大で３：１、または最大で２：１である、項目１〜１４のいずれか一項に記載の組成物。
（項目１６）
前記極性溶媒が、脂肪族プロトン性極性溶媒、脂肪族非プロトン性極性溶媒および芳香族極性溶媒のうちの少なくとも１つを含む、項目１〜１５のいずれか一項に記載の組成物。
（項目１７）
前記極性溶媒が、分枝状および非分枝状Ｃ１〜Ｃ１２脂肪族アルコール、Ｃ１〜Ｃ１２脂肪族アミンおよびそれらの混合物から選択される脂肪族プロトン性極性溶媒を含む、項目１６に記載の組成物。
（項目１８）
前記極性溶媒が、エーテルから選択される脂肪族非プロトン性極性溶媒を含む、項目１６〜１７のいずれか一項に記載の組成物。
（項目１９）
前記極性溶媒が、エーテルおよびアミンから選択される芳香族極性溶媒を含む、項目１６〜１８のいずれか一項に記載の組成物。
（項目２０）
前記極性溶媒が、前記組成物の少なくとも５ｗｔ％、または少なくとも１０ｗｔ％、または少なくとも１５ｗｔ％、または少なくとも２０ｗｔ％、あるいは最大で６０ｗｔ％、または最大で５０ｗｔ％、または最大で４５ｗｔ％、または最大で４０ｗｔ％、または最大で３５ｗｔ％、または最大で３０ｗｔ％、または最大で２７ｗｔ％である、項目１〜１９のいずれか一項に記載の組成物。
（項目２１）
前記非極性溶媒が芳香族非極性溶媒を含む、項目１〜１８のいずれか一項に記載の組成物。
（項目２２）
前記芳香族非極性溶媒が、Ｃ１〜Ｃ４アルキル置換ベンゼンおよびそれらの混合物から選択される炭化水素を含む、項目１〜２１のいずれか一項に記載の組成物。
（項目２３）
前記非極性溶媒が、前記組成物の少なくとも１０ｗｔ％、または少なくとも１５ｗｔ％、または少なくとも２０ｗｔ％、あるいは最大で６５ｗｔ％、または最大で５０ｗｔ％、または最大で４５ｗｔ％、または最大で４０ｗｔ％、または最大で３５ｗｔ％、または最大で３０ｗｔ％、または最大で２７ｗｔ％である、項目１〜２０のいずれか一項に記載の組成物。
（項目２４）
前記非極性溶媒が、最大で２ＭＰａ１／２、または最大で１．５ＭＰａ１／２、または最大で１．４ＭＰａ１／２、または最大で１．２ＭＰａ１／２、または最大で１．０ＭＰａ１／２のハンセン溶解パラメーターを有する、項目１〜２３のいずれか一項に記載の組成物。
（項目２５）
前記極性溶媒が、少なくとも２．８ＭＰａ１／２、または少なくとも３ＭＰａ１／２、または少なくとも４ＭＰａ１／２、または少なくとも５ＭＰａ１／２、または少なくとも６ＭＰａ１／２のハンセン溶解パラメーターを有する、項目１〜２４のいずれか一項に記載の組成物。
（項目２６）
前記ポリエーテル成分、極性溶媒および非極性溶媒が、合わせて、前記組成物の少なくとも６０ｗｔ％、または少なくとも７０ｗｔ％、または少なくとも７５ｗｔ％、あるいは最大で９５ｗｔ％、または最大で９０ｗｔ％、または最大で８５ｗｔ％である、項目１〜２５のいずれか一項に記載の組成物。
（項目２７）
グリコール、ケトン、環状アミド、エステル、アセテート、およびグリコール、エーテル、ケトン、環状アミド、エステル、アセテートから選択される官能基の組合せを有する溶媒、ならびにそれらの混合物から選択される機能性溶媒をさらに含む、項目１〜２６のいずれか一項に記載の組成物。
（項目２８）
前記機能性溶媒がアルコキシアルコールを含む、項目２７に記載の組成物。
（項目２９）
前記アルコキシアルコールが前記組成物中に少なくとも１０ｗｔ％の濃度で存在する、項目２６に記載の組成物。
（項目３０）
前記アルコキシアルコールが２−ブトキシエタノールを含む、項目２６または２７に記載の組成物。
（項目３１）
前記機能性溶媒が、前記組成物の少なくとも１ｗｔ％、または少なくとも２ｗｔ％、または少なくとも３ｗｔ％、または少なくとも５ｗｔ％、または少なくとも８ｗｔ％、または少なくとも１０ｗｔ％、あるいは最大で４０ｗｔ％、または最大で３０ｗｔ％、または最大で２５ｗｔ％、または最大で２０ｗｔ％、または最大で１５ｗｔ％である、項目２７〜３０のいずれか一項に記載の組成物。
（項目３２）
前記機能性溶媒が、極性脂肪族溶媒および前記非極性溶媒中で少なくとも１０重量部の機能性溶媒の溶解度を有する、項目２７〜３１のいずれか一項に記載の組成物。
（項目３３）
清浄剤および／または分散剤をさらに含む、項目１〜３２のいずれか一項に記載の組成物。
（項目３４）
前記清浄剤および／または分散剤が、合わせて、前記組成物の少なくとも０．５ｗｔ％、または少なくとも１ｗｔ％、または少なくとも１．５ｗｔ％、または少なくとも１．８ｗｔ％、または少なくとも２ｗｔ％、あるいは最大で５５ｗｔ％、または最大で１０ｗｔ％、または最大で５ｗｔ％、または最大で４ｗｔ％、または最大で３ｗｔ％である、項目３３に記載の組成物。
（項目３５）
少なくとも０．５ｗｔ％の水をさらに含む、項目１〜３４のいずれか一項に記載の組成物。
（項目３６）
前記水が、前記組成物の少なくとも１ｗｔ％、または少なくとも１．５ｗｔ％、または少なくとも２ｗｔ％、あるいは最大で１０ｗｔ％、または最大で５ｗｔ％、または最大で４ｗｔ％、または最大で３．５ｗｔ％である、項目３５に記載の組成物。
（項目３７）
腐食防止剤および噴射剤のうちの少なくとも１つをさらに含む、項目１〜３６のいずれか一項に記載の組成物。
（項目３８）
内燃エンジン中の空気取り入れ弁堆積物、燃料噴射器堆積物および燃焼室堆積物のうちの少なくとも１つを除去する方法であって、項目１〜３７のいずれか一項に記載の組成物で前記エンジンを動作させる工程を包含する、方法。
（項目３９）
燃料送出システムおよび空気取り入れシステムのうちの少なくとも１つを清浄化するための、項目１〜３７のいずれか一項に記載の組成物の使用。